(57)【要約】【課題】外部から衝撃を受けても一対の可動翼片が誤動作を起こさず、常に正規通りに動作するようにしたパチンコ機用可変入賞装置を提供する。【解決手段】取付基板１に球入口２を開設し、その前側に球入口２を挟み起立または傾倒する一対の可動翼片５，５を軸着し、取付基板１の後側に球入口２を囲う箱枠８を配置し、箱枠８内に球通路１６，１９を形成し、箱枠８内に鉛直面内で回転しかつ外周面に球通路１６，１９内に介入して該球通路１６，１９内を流下する遊技球と接触する球受片２２ａ，２２ｂ，２３を設けた回転制御体２１を配置し、回転制御体２１と一対の可動翼片５，５とは動力伝達機構Ｄを介して連係され、球通路１６，１９内を流下する遊技球が球受片２２ａ，２２ｂ，２３に接触することにより回転制御体２１が回転して一対の可動翼片５，５が起立または傾倒動作するようにした。【選択図】図４
2010240291.tif 000002
【特許請求の範囲】
【請求項１】
取付基板に遊技球が通過する球入口を開設し、前記取付基板の前側に前記球入口を挟むようにして起立または逆ハの字状に傾倒する一対の可動翼片を軸着し、前記取付基板の後側に前記球入口を囲うようにして箱枠を配置し、前記箱枠内に流入した遊技球を外部へ排出する球通路を形成し、前記箱枠内に鉛直面内で回転しかつ外周面に前記球通路内に介入して該球通路内を流下する遊技球と接触する球受片を設けた回転制御体を配置し、前記回転制御体と前記一対の可動翼片とは動力伝達機構を介して連係され、前記球通路内を流下する遊技球が前記回転制御体の球受片に接触することにより回転制御体が回転し、前記動力伝達機構を介して前記一対の可動翼片が起立または傾倒動作するようにしたことを特徴とするパチンコ機用可変入賞装置。
【請求項２】
前記箱枠内に前記球入口と連通し該球入口から流入した遊技球を外部に排出する第一球通路と前記箱枠に開設された球導入口と連通し該球導入口から流入した遊技球を外部に排出する第二球通路とを形成し、前記回転制御体の外周面に前記第一・第二球通路内に介入して該第一・第二球通路内を流下する遊技球と接触する第一・第二球受片を設けるようにした請求項１記載のパチンコ機用可変入賞装置。
【請求項３】
前記回転制御体にその逆回転を防ぐ逆回転防止機構を備えるようにした請求項１又は２記載のパチンコ機用可変入賞装置。
【発明の詳細な説明】
【技術分野】
【０００１】
本発明は、遊技盤面に装着されると共に起立または逆ハの字状に傾倒して遊技球の入賞する機会を変化させる一対の可動翼片を備えたパチンコ機用可変入賞装置に関するものである。
【背景技術】
【０００２】
従来、遊技盤面に装着され取付基板の前面に該遊技盤面を流下する遊技球が入賞することにより、一対の可動翼片が起立または逆ハの字状に傾倒して遊技球の入賞する機会を変化させるようにしたパチンコ機用可変入賞装置がある。更に詳しく説明すると、該パチンコ機用可変入賞装置は、取付基板に球入口が開設されると共に該取付基板の前面に該球入口を囲うようにして上面が開放されるカバーが取着され、該カバー内に前記球入口の両側に位置して一対の可動翼片が軸着される。また、一対の可動翼片間の下部に、球入口を横断する水平な横軸により軸支され円周方向に沿って複数の球受片を設けた回転制御体が設けられている。そして、一対の可動翼片は所定の回転位置の回転制御体と係合し得るようになっており、該回転制御体が回転して一対の可動翼片の下部と係合すると、両可動翼片を平行に起立させて遊技球が入賞し難くしている。また、回転制御体が更に回転して一対の可動翼片との係合が外れると、両可動翼片が自由となりそれら自重によって互いに外側へ回動して逆ハの字状に傾倒した状態で停止し、遊技球が入賞し易くしている。
【０００３】
そこで、例えば起立した状態の可動翼片間に遊技球が入賞すると、該遊技球は両可動翼片間を下方へ進むと共に回転制御体の球受片に乗って該遊技球の球重量により該回転制御体を回転させ、更に、下方へ落下し球入口に流入する。回転制御体は前記遊技球により所定角度回転させられると共に可動翼片との係合が外れ、遊技球が入賞し易いように一対の可動翼片を逆ハの字状に傾倒させる。また、この状態で傾倒した可動翼片間に遊技球が入賞すると、前記と同様にして該遊技球の球重量により回転制御体を更に回転させ、該回転制御体が一対の可動翼片と係合して両可動翼片を起立位置に保持するようにしている。なお、この場合、一対の可動翼片は回転制御体が一回転する間に二度開き、一度閉じる構成となっている（例えば、特許文献１参照。）。
【先行技術文献】
【特許文献】
【０００４】
【特許文献１】実公昭４９−６７１６号公報（第１−２頁、図２）
【発明の概要】
【発明が解決しようとする課題】
【０００５】
しかしながら、前記特許文献１に係るパチンコ機用可変入賞装置は、一対の可動翼片が常にその自重で外側へ回動するように付勢されているばかりか、特にその起立・傾倒動作が水平な横軸により軸支された回転制御体との係合又は係合が外れることにより行なわれる構成である。このため、例えばパチンコ機用可変入賞装置に外部から衝撃が加わると、一対の可動翼片が踊って回転制御体から離れ易くなる。これに伴い、回転制御体もその自重で勝手に回転してしまい、起立している一対の可動翼片が逆ハの字状に傾倒したり、逆ハの字状に傾倒している一対の可動翼片が起立してしまう誤動作を起こすという課題が有った。これは、特に一対の可動翼片が回転制御体と直接接触し、かつ、該回転制御体が自重でかつ水平面内で回転する構成になっていることが起因していると考えられる。
【０００６】
そこで、本発明は上記課題を解決すべくなされたもので、たとえ外部から衝撃を受けても一対の可動翼片や回転制御体が誤動作を起こさず、一対の可動翼片が常に正規通りに動作するようにしたパチンコ機用可変入賞装置を提供することを目的とするものである。
【課題を解決するための手段】
【０００７】
かかる目的を達成するため本発明のパチンコ機用可変入賞装置は、取付基板に遊技球が通過する球入口を開設し、前記取付基板の前側に前記球入口を挟むようにして起立または逆ハの字状に傾倒する一対の可動翼片を軸着し、前記取付基板の後側に前記球入口を囲うようにして箱枠を配置し、前記箱枠内に流入した遊技球を外部へ排出する球通路を形成し、前記箱枠内に鉛直面内で回転しかつ外周面に前記球通路内に介入して該球通路内を流下する遊技球と接触する球受片を設けた回転制御体を配置し、前記回転制御体と前記一対の可動翼片とは動力伝達機構を介して連係され、前記球通路内を流下する遊技球が前記回転制御体の球受片に接触することにより前記回転制御体が回転し、前記動力伝達機構を介して前記一対の可動翼片が起立または傾倒動作するようにしたことを特徴とする。
【０００８】
具体的には、前記箱枠内に前記球入口と連通し該球入口から流入した遊技球を外部に排出する第一球通路と前記箱枠に開設された球導入口と連通し該球導入口から流入した遊技球を外部に排出する第二球通路とを形成し、前記回転制御体の外周面に前記第一・第二球通路内に介入して該第一・第二球通路内を流下する遊技球と接触する第一・第二球受片を設けるようにすることが好ましい。
【０００９】
この際、前記回転制御体にその逆回転を防ぐ逆回転防止機構を備えることが好ましい。
【発明の効果】
【００１０】
本発明に係るパチンコ機用可変入賞装置は、箱枠内に鉛直面内で回転しかつ外周面に球通路内に介入して該球通路内を流下する遊技球と接触する球受片を設けた回転制御体を配置し、該回転制御体と一対の可動翼片とを動力伝達機構を介して連係してなる。そして、球通路内を流下する遊技球が球受片に接触することにより回転制御体が回転し、動力伝達機構を介して一対の可動翼片が起立または傾倒動作するようにした。このように、回転制御体を鉛直面内で回転させるようにし、しかも、回転制御体と一対の可動翼片とを動力伝達機構を介して間接的に連係するようにしているので、通常の状態では該回転制御体に余分な負荷の生ずることがほとんどなく、一対の可動翼片からの影響も少ない。よって、たとえ外部から衝撃を受けても回転制御体が無用に回転することはなく、一対の可動翼片を常に正規通りに動作させることができるという効果を奏する。
【００１１】
また、箱枠内に球入口と連通し該球入口から流入した遊技球を外部に排出する第一球通路と、箱枠に開設された球導入口と連通し該球導入口から流入した遊技球を外部に排出する第二球通路と、を形成し、回転制御体の外周面に第一・第二球通路内に介入して該第一・第二球通路内を流下する遊技球と接触する第一・第二球受片を設けるようにしても良い。このようにすれば、一対の可動翼片間に入賞した遊技球以外の遊技球によっても一対の可動翼片を開閉することができるようになり、入賞態様に幅が持たせられ遊技の興趣を高めることができるという効果が有る。
【００１２】
更に、回転制御体が逆回転しないように該回転制御体に逆回転防止機構を設けるようにすれば、一対の可動翼片の起立・傾倒動作がより正確になり、信頼性が増すという効果が有る。
【図面の簡単な説明】
【００１３】
【図１】本発明に係るパチンコ機用可変入賞装置の斜視図。
【図２】同分解斜視図。
【図３】（イ）は同正面図、（ロ）は同右側面図、（ハ）は同左側面図。
【図４】（イ）は図３のＸ−Ｘ線断面図、（ロ）は図３のＹ−Ｙ線断面図。
【図５】（イ）は軸筒部材の正面図、（ロ）は軸筒部材の底面図。
【図６】（イ）は回転制御体と摺動板との動作を説明する斜視図、（ロ）は同平面図、（ハ）は同正面図。
【図７】（イ）は回転制御体と摺動板との動作を説明する斜視図、（ロ）は同平面図、（ハ）は同正面図。
【発明を実施するための形態】
【００１４】
以下、本発明に係るパチンコ機用可変入賞装置の最良の実施の形態を図面に基づき詳しく説明する。図１は本発明に係るパチンコ機用可変入賞装置の斜視図、図２は同分解斜視図、図３（イ）は同正面図、図３（ロ）は同右側面図、図３（ハ）は同左側面図、図４（イ）は図３のＸ−Ｘ線断面図、図４（ロ）は図３のＹ−Ｙ線断面図である。パチンコ機用可変入賞装置Ａは、パチンコ機（図示せず。）の遊技盤面に取り付けられる取付基板１を有する。該取付基板１に遊技球としてのパチンコ球が通過し得る球入口２が開設され、取付基板１の前面に該球入口２の前方と両側方を囲い上方が開放されるカバー３が取り付けられている。該カバー３における前板３ａの裏面上部に球入口２の両側に位置して後方へ水平に延設される支持軸４，４が設けられ、両支持軸４，４に一対の可動翼片５，５が軸支される。
【００１５】
各可動翼片５，５は、少なくとも後端面が開放される中空状に形成されている。そして、一対の可動翼片５，５と連係する後記する動力伝達機構Ｄが作動することにより、一対の可動翼片５，５が正面から見て平行に起立しパチンコ球が入賞し難い状態と、正面から見て逆ハの字状に開きパチンコ球が入賞し易い状態と、に変換できるようにしている。各可動翼片５は、外側へ傾倒したとき共にカバー３の上端縁に当接して停止する。
【００１６】
前記一対の可動翼片５，５の下方であってカバー３における前板３ａの裏面に、両可動翼片５，５間に入賞したパチンコ球を前記球入口２に導くためのガイド片６ａ，６ｂが設けられる。また、球入口２と対向する前板３ａの裏面には、パチンコ球が球入口２側へ流入し易いように該前板３ａと直交状に設けられ、かつ、上面が球入口２側へ進むに従い漸次曲線的に低くなる誘導片７が設けられている。
【００１７】
取付基板１の後側に、前記球入口２を囲うようにして箱枠８が配置される。該箱枠８は、周囲が囲われ右半体８ａと左半体８ｂとからなる。右半体８ａの前端面の一側と後端部の中央に、それぞれ螺子孔９，９が設けられる。また、左半体８ｂの前端面の一側に螺子孔９が設けられると共に、後端部の中央部に右半体８ａの後端部の螺子孔９と対向位置する螺子挿通孔１０が開設されている。そして、右半体８ａと左半体８ｂを合致させると共にその前面に取付基板１を重ね、前面の各螺子孔９，９と対応位置して取付基板１に開設された螺子挿通孔１１，１１を介して前記螺子孔９，９に螺子１２，１２を螺締する。更に、前記右半体８ａの後端部の螺子孔９に、左半体８ｂの後端部の螺子挿通孔１０を介して螺子１３を螺締する。これにより、箱枠８が取付基板１の裏面に固着される。
【００１８】
前記一方の右半体８ａは、その内部に前端が前記球入口２と連通しかつ後端が右半体８ａの後壁１４の下部に開設された排出口１５と連通する第一球通路１６が形成される。該第一球通路１６の底面は、排出口１５側に向かって下傾している。他方の左半体８ｂはその内部に後端が後壁１７の上部に開設された球導入口１８と連通する第二球通路１９が形成され、該第二球通路１９は取付基板１側に向かって下傾すると共に下端部に後面が開放される球導出口２０が開設されている。第一・第二球通路１６，１９は共に隣接している。これにより、球入口２から流入したパチンコ球は、第一球通路１６を流下して後側の排出口１５から外部へ排出される。また、後側に開設された球導入口１８から流入したパチンコ球は、第二球通路１９を流下して後側の球導出口２０から外部へ排出される。
【００１９】
前記右半体８ａと左半体８ｂの境に位置して、鉛直面内で回転する回転制御体２１が配置される。該回転制御体２１は棒状をなすと共に上下端部で軸支され、その下半部の両側に回転して第一球通路１６内に介入する一対の第一球受片２２ａ，２２ｂが設けられ、上半部の一側に第二球通路１９内に介入する第二球受片２３が設けられている。図６（ハ）丸中の回転制御体の平面断面図に示すように、二枚の第一球受片２２ａ，２２ｂは平面的に見てなす角が約１２０度の鈍角となる位置に設けられる。また、第二球受片２３は、平面的に見て第一球受片２２ａ，２２ｂに対しこれら二枚の第一球受片２２ａ，２２ｂの間であって鈍角をなす側に設けられている。
【００２０】
前記回転制御体２１の上端は箱枠８の天壁２４から上方へ突出しており、その上端に軸筒部材２５が嵌着されている。図５（イ）（ロ）に示すように、該軸筒部材２５には下端が開放した円筒状の軸筒２５ａの上端に位置して回転円板２５ｂが一体に設けられる。また、その下方であって軸筒２５ａの外周面に、軸筒２５ａの外径よりも一回り大きいカム片部２６が一体に設けられる。該カム片部２６は平面内で該軸筒２５ａの中心軸線を中心としほぼ１２０度の範囲に亘り外側へ膨出している。更に、該カム片部２６の下方であって軸筒２５ａの外周面に、平面的に見てカム片部２６の膨出部とほぼ同じ位置に重なるようにしてカム片部２６よりも外径の小さい小カム片部２７が設けられている。該小カム片部２６はカム片部２６とは逆向きに設けられる。これらカム片部２６及び小カム片部２７は、一対の可動翼片５，５を起立または傾動動作させる動力伝達機構Ｄと連係することになる。カム片部２６は膨出部の外周端面２６ａが回転するに伴い漸次中心から遠ざかるように弧面状に形成され、その先端面２６ｂは軸筒２５ａの中心軸線からの放射状線に沿ってカットされる。同様に小カム片部２７もその外周端面２７ａが弧状に形成され、その先端面２７ｂは軸筒２５ａの中心軸線からの放射状線に沿ってカットされている。
【００２１】
前記回転制御体２１の下端部が軸支される軸受部に、該回転制御体２１の逆回転防止機構Ｇが設けられる。すなわち、該逆回転防止機構Ｇは、軸受部に配置して固定される円板状の台座４０と、回転制御体２１の下端部であって中心位置とはずれた位置に設けられる接触片４４と、からなる。該台座４０の中心には軸受孔４１が開設され、該軸受孔４１に下端を挿通して回転制御体２１が軸支される。また、台座４０の上面４０ａには、その外周に沿って上面４２ａを回転制御体２１が回転する方向に進むに従い漸次高くなるように傾斜面とした段差部４２が等間隔に複数個（図２では三個）配置されている。これら段差部４２の終端に、台座４０の上面に対して直交する停止面４３が形成されている。
【００２２】
そこで、前記接触片４４は前記各段差部４２に対応位置して設けられ、回転制御体２１が所定方向に回転するのに伴い、前記接触片４４の下端が順に各段差部４２の上面４２ａを低い方から高い方へ摺接しながら移動する。そして、各段差部４２の最も高い終端位置から外れると、再び台座４０の上面４０ａに落ちる。回転制御体２１が所定方向へ回転する限り、接触片４４が順に段差部４２の傾斜する上面４２ａを上り始め終端で落下する。よって、接触片４４が段差部４２を乗り越えるごとに、回転制御体２１が少し上下動することになる。また、その途中で、回転制御体２１が逆方向に回転しようとすると、前記接触片４４がいずれかの段差部４２終端の停止面４３に衝突するので、その逆回転が阻止される。つまり、回転制御体２１は決められた一方向にしか回転し得ないことになる。
【００２３】
前記動力伝達機構Ｄは、箱枠８の天壁２４の上面に位置し前記小カム片部２７が挿通される通孔２８が開設された摺動板２９と、同じく天壁２４の上面に配置されその上面であって前端縁部の両側に突設された支軸３０，３０に軸支されて天壁２４の上面に沿って回動する一対のレバー部材３１，３１と、からなる。摺動板２９に開設された通孔２８は前後に長い略楕円形状をなし、その内側縁の一個所に段部２８ａが設けられる。該段部２８ａは、前記小カム片部２７が当接して押すためのものである。該通孔２８の後端外縁に、上方へ突出し前記カム片部２６が回転して摺接する隆起部３２が設けられる。また、摺動板２９の裏面に一対のガイドピン３３，３３が前後位置に設けられ、該各ガイドピン３３が天壁２４の上面に前後方向に沿って設けられたガイド溝３４内に遊嵌されている。これにより、摺動板２９は該ガイド溝３４に沿って前後方向に摺動することになる。更に、摺動板２９の前端両側に前記各レバー部材３１の一端に設けられた突起３５が挿通される挿通孔３６，３６が開設される。
【００２４】
各レバー部材３１，３１は、平面略弧状に形成されると共に軸支孔３７から一端までの距離よりも他端までの距離の方が長く設定され、その一端に前記突起３５が突設される。そして、天壁２４両側の支軸３０，３０を前記軸支孔３７，３７に挿入することにより、各レバー部材３１，３１が支軸３０，３０を中心として自在に回動する。この際、各レバー部材３１一端の突起３５が摺動板２９の挿通孔３６に挿通されている関係上、該摺動板２９の動作と連動して回動することになる。各レバー部材３１の他端は、取付基板１に対応して開設された各透口３８を介してその前側へ突出し、各可動翼片５の内部にその後側から介入している。
【００２５】
本発明に係るパチンコ機用可変入賞装置Ａは上記構成からなり、次に作用について説明する。まず、このパチンコ機用可変入賞装置Ａにあっては、一対の可動翼片５，５間のやや上方に障害釘が配置され、両可動翼片５，５が起立した状態では両可動翼片５，５間にパチンコ球が入賞し得ない構成になっている。そこで、図６（イ）（ロ）（ハ）に示すように、回転制御体２１が回転してカム片部２６の外周端面２６ａが隆起部３２の内周弧面３２ａを押し、摺動板２９が天壁２４上面の後側に位置するときは、両レバー３１，３1の他端が互いに近づいて一対の可動翼片５，５が平行に起立している。このとき、図６（ハ）の丸中に示すように、回転制御体２１における下部の両第一球受片２２ａ，２２ｂは第一球通路１６内に介入しておらず、上部の第二球受片２３が第二球通路１９内に介入している。
【００２６】
また、回転制御体２１が回転しカム片部２６と隆起部３２との係合が終わると、図７（イ）（ロ）（ハ）に示すように小カム片部２７が通孔２８の段部２８ａに当接して摺動板２９を押す。これにより、今度は摺動板２９が天壁２４上面をその前側へ摺動して停止する。摺動板２９が天壁２４の前側に位置しているときは、両レバー３１，３１の他端が互いに離れて一対の可動翼片５，５が逆ハの字状に傾倒する。このとき、図７（ハ）丸中に示すように回転制御体２１における下部の一方の第一球受片２２ａが第一球通路１６内に臨んでいるが、上部の第二球受片２３は第二球通路１９から外れる。よって、球入口２を介し第一球通路１６に流入してきたパチンコ球は第一球受片２２ａに接触して流下し、これにより回転制御体２１が同図矢視方向へ所定量（約１２０度）回転する。
【００２７】
そこで、一対の可動翼片５，５が起立しているときに、図６（ハ）に示すように後側の球導入口１８から第二球通路１９にパチンコ球Ｂ１が流入すると、該パチンコ球Ｂ１は第二球受片２３に接触して流下し、球導出口２０から外部に排出される。同時に、回転制御体２１が回転することにより一対の可動翼片５，５が逆ハの字状に傾倒して、パチンコ球が入賞できる状態になる。
【００２８】
次に、傾倒した一対の可動翼片５，５間にパチンコ球が入ると、図７（ハ）に示すように該パチンコ球Ｂ２は球入口２を介して第一球通路１６内に導かれ、一方の第一球受片２２ａに接触して流下し、排出口１５から外部に排出される。また、このとき、第一球通路１６内には他方の第一球受片２２ｂが介入することになり、再度一対の可動翼片５，５間にパチンコ球が入賞すると、該パチンコ球は同じく球入口２を介して第一球通路１６内に導かれ、他方の第一球受片２２ｂに接触して流下し、排出口１５から外部に排出される。これにより、回転制御体２１が一回転して該回転制御体２１及び摺動板２９が初期位置に戻る。これら動作の途中に、回転制御体２１が逆回転しようとしても、前記したように回転制御体２１下端部の接触片４４がいずれかの段差部４２終端の停止面４３に衝突するので、その逆回転が阻止される。これにより、回転制御体２１の不必要な逆回転動作が防止される。
【００２９】
このように、本発明は、箱枠８内に鉛直面内で回転しかつ外周面に第一・第二球通路１６，１９内に介入して該球通路１６，１９内を流下するパチンコ球と接触する第一・第二球受片２２ａ，２２ｂ，２３を設けた回転制御体２１を配置し、該回転制御体２１と一対の可動翼片５，５とを動力伝達機構Ｄを介して連係してなる。そして、第一・第二球通路１６，１９内を流下するパチンコ球が第一・第二球受片２２ａ，２２ｂ，２３に接触することにより回転制御体２１が回転し、動力伝達機構Ｄを介して一対の可動翼片５，５が起立または傾倒動作するようにした。このように、回転制御体２１を鉛直面内で回転させるようにし、しかも、回転制御体２１と一対の可動翼片５，５とを動力伝達機構Ｄを介して連係するようにしているので、該回転制御体２１に余分な負荷が生ずることがほとんどなく、一対の可動翼片５，５からの影響も少ない。よって、たとえ外部から衝撃を受けても回転制御体２１が無用に回転してしまうといった誤動作が起こらない。
【００３０】
また、この際、回転制御体２１が逆回転しないように逆回転防止機構Ｄを設けるようにしたので、一対の可動翼片５，５の起立・傾倒動作がより正確になり、信頼性が増す。
【００３１】
なお、本実施の形態にあっては一対の可動翼片５，５が二度開き形式のパチンコ機用可変入賞装置Ａについて説明したが、これに限定することはなく、例えば球受片２２ａ，２２ｂ，２３の数を増減させ、通常の一度開き形式のほか三度開き形式、四度開き形式、五度開き形式及びそれ以上の形式のパチンコ機用可変入賞装置Ａについても適用できることは勿論である。
【符号の説明】
【００３２】
１              取付基板
２              球入口
５              可動翼片
８              箱枠
１６            第一球通路
１８            球導入口
１９            第二球通路
２１            回転制御体
２２ａ          第一球受片
２２ｂ          第一球受片
２３            第二球受片
Ａ              パチンコ機用可変入賞装置
Ｄ              動力伝達機構
Ｇ              逆回転防止機構
【図１】
2010240291.tif 000003
【図２】
2010240291.tif 000004
【図３】
2010240291.tif 000005
【図４】
2010240291.tif 000006
【図５】
2010240291.tif 000007
【図６】
2010240291.tif 000008
【図７】
2010240291.tif 000009